(57)【要約】【課題】本発明は、標準電波を受信する電波時計であっても、利用者が容易に時刻を変更することが可能な電波時計を提供することにある。【解決手段】アンテナと、標準電波を受信する受信部と、時刻情報を表示する表示部と、現在時刻に対する差分時間を設定入力する入力部と、全体を制御する制御部とを備え、該制御部は、前記入力部により差分時間が設定された際に現在時刻に対して差分時間分を加減算して表示するように表示部に指示する。【選択図】　　　　図１
2004069389.tif 000002
【特許請求の範囲】
【請求項１】
アンテナと、標準電波を受信する受信部と、時刻情報を表示する表示部と、現在時刻に対する差分時間を設定入力する入力部と、全体を制御する制御部とを備え、該制御部は、前記入力部により差分時間が設定された際に現在時刻に対して差分時間分を加減算して表示するように表示部に指示することを特徴とする電波時計。
【請求項２】
アンテナと、標準電波を受信する受信部と、時刻情報を表示する表示部と、表示したい時刻を設定入力する入力部と、全体を制御する制御部とを備え、該制御部は、前記入力部により表示したい時刻が設定された際に現在時刻と表示時刻との差分時間を演算して求め、該演算して求めた差分時間分を加減算して表示するように表示部に指示することを特徴とする電波時計。
【発明の詳細な説明】
【０００１】
【発明の属する技術分野】
本発明は、標準電波を受信して得られたデータを表示することのできる電波時計に関する。
【０００２】
【従来の技術】
標準電波を受信して、受信したデータに基づいて正しい時刻を表示できるようにしたものが知られており、この標準電波を使用するものとして、時計あるいは機器等の内部にて使用される時刻データなどがある。
すなわち、日本における標準電波は、４０ｋＨｚ、６０ｋＨｚの周波数を用い、６０秒を１フレームとして分、時、１月１日からの通算日、曜日などの時刻のデータを重畳させて送信しており、この標準電波を受信して、その受信したデータに基づいて正確な時刻を表示できるようにするものである。
【０００３】
この標準電波を受信する方法としては、例えば、インターネットのＮＴＰ（Ｎｅｔｗｏｒｋ　Ｔｉｍｅ　Ｐｒｏｔｏｃｏｌ）サーバに接続あるいはラジオ・ＴＶ放送（文字放送を含む）の受信する方法等が知られており、例えば、特開２００１−９１６７８号公報等で知られている。
【０００４】
【発明が解決しようとする課題】
ところで、時刻データを使用するものとして、例えば、目覚まし時計の場合、利用者が乗り物の発車時間などを予め考慮して故意に進んだ時刻に設定をしたり、あるいは機器などに搭載する場合、作業者が時間，日付，年の更新確認、時刻データ変更による設定データなど（例：自動券売機あるいは自動販売機の価格変更など）の確認をしたり、うるう年の検証などのために、故意に進んだあるいは遅れた時刻を設定することがある。
【０００５】
しかしながら、上記電波時計においては、常に標準電波を受信しているため、現在の正確な時刻に自動的に修正されてしまうことになり、上記のような使用方法をすることができず、利用者（作業者）にとって、必ずしも、使い勝手が良いものとは言えなかった。
そこで、本発明は、標準電波を受信する電波時計であっても、利用者が容易に時刻を変更することが可能な電波時計を提供することにある。
【０００６】
【課題を解決するための手段】
上記課題を達成するために、本発明によれば、
請求項１によれば、アンテナと、標準電波を受信する受信部と、時刻情報を表示する表示部と、現在時刻に対する差分時間を設定入力する入力部と、全体を制御する制御部とを備え、該制御部は、前記入力部により差分時間が設定された際に現在時刻に対して差分時間分を加減算して表示するように表示部に指示することを特徴とする。
【０００７】
請求項２によれば、アンテナと、標準電波を受信する受信部と、時刻情報を表示する表示部と、表示したい時刻を設定入力する入力部と、全体を制御する制御部とを備え、該制御部は、前記入力部により表示したい時刻が設定された際に現在時刻と表示時刻との差分時間を演算して求め、該演算して求めた差分時間分を加減算して表示するように表示部に指示することを特徴とする。
【０００８】
【発明の実施の形態】
以下、本発明の実施の形態を図１に基づいて説明する。
まず、図１のブロック図において、１は標準電波を受信するアンテナ、２は標準電波の時刻に関する情報としてタイムコードを受信するタイムコード受信部であり、該受信部２は、受信信号を増幅する増幅器２ａ、増幅器２ａで増幅された信号を検波する検波器２ｂ、検波器２ｂで検波された信号からタイムコードを復調する復調器２ｃとからなる。３は受信部２からのデータに基づき、時刻信号を表示部４に出力する主制御部であり、この構成から電波時計は構成されるものである。
【０００９】
なお、表示部４に、表示する時刻データとしては、年月日時分秒曜日、年月日時分秒、時分秒、時分など、適宜、その時計の用途に応じて選択し得るものであり、以下においては、単に時刻とも記す。
この構成に加え、本実施の形態においては、例えば、テンキーなどを備えたキーボードからなる入力部５を新たに設けたものであり、主制御部３に接続されるものである。
【００１０】
この構成において、第１の実施例では、入力部５は、差分時間を入力できるものである。
まず、通常時は、アンテナ１にて標準電波をタイムコード受信部２で受信し、タイムコード受信部２では、その受信した標準電波を増幅器２ａで増幅し、増幅器２ａで増幅された標準電波の受信データは検波器２ｂで検波された後、復調器２ｃによりタイムコードが復調され、主制御部３に出力される。この主制御では例えば、年月日時分秒の時刻データを表示部４に送信し、表示部４では標準電波に基づく時刻データを表示する。
【００１１】
ここで、利用者がなんらかの理由により、表示時刻を変更したい場合に、入力部５を操作し、表示時刻を現在より例えば１０分進める場合には、入力部５で分の単位を選択し、「１０＋」キーを操作することにより、主制御部３の図示しない記憶部に記憶され、標準電波からの受信データに対し、主制御部３にて１０分加算した時刻データを表示部４に送信し、標準電波に基づく時刻データより１０分進めた時刻が表示部４にて表示される。
【００１２】
このように、第１の実施例では、利用者は、現在時刻に対して、進めたいあるいは遅らせたい時分を入力部５にて差分時間として入力することにより、利用者の表示させたい時刻となる。
次に、第２の実施例では、入力部５で、表示部４に表示させたい時刻を入力できるものである。
【００１３】
まず、通常時は、上記第１の実施例と同様動作であり、表示部４では、標準電波に基づく時刻データを表示する。
ここで、作業者が、例えば、月日が変わることにより機器の設定データが変更されるように設定されている場合、その変更後のデータを確認したい場合には、入力部５より、直接、月日を入力し、必要に応じて、年、時分なども入力することになる。
【００１４】
主制御部３では、入力部５より表示させたい時刻が直接入力されたことにより、標準電波の受信データに代えて、その入力された時刻を表示するとともに、設定入力された時刻と標準電波による現在時刻との差分時間を演算して図示しない記憶部に記憶し、その後は、標準電波を受信した時刻データに演算して求めた差分時間分を加算した時刻を表示部４に表示するものである。
【００１５】
このように、第２の実施例では、作業者は、表示させたい時刻を入力部５にて直接入力することにより、作業者の表示させたい時刻となる。
なお、第１，２の実施例において、例えば、入力部５にモード切換キーなどを設けておき、その切換キーの切り換えにより、標準電波の受信データ、第１の実施例の差分時間入力、第２の実施例の時刻入力などを有効にしたり、標準電波の受信データによる時刻表示と入力部５からの入力による時刻表示との切り換えができるようにすれば良い。
【００１６】
また、クリアキーなどを設けておき、クリアキーが操作されたときには、標準電波の受信データに表示を戻すようにしても良い。
【００１７】
【発明の効果】
以上述べたように、本発明の電波時計によれば、以下の効果を奏する。
標準電波の受信データに基づく現在時刻に対する差分時間、あるいは表示したい時刻を設定入力可能な入力部を備えることにより、前記入力部により差分時間が入力設定された際には標準電波の受信データに基づく現在時刻に対して差分時間分を加減算して表示、あるいは表示したい時刻が入力設定された際には現在時刻と表示時刻との差分時間を演算して求め、該演算して求めた差分時間分を加減算して表示できるようにしたので、簡単な操作で、利用者あるいは作業者が表示させたい時刻を任意に表示させることができるので、電波時計の使い勝手が向上するとともに、電波時計の利用範囲を拡大することができる。
【図面の簡単な説明】
【図１】本発明の実施の形態に係る制御ブロック図である。
【符号の説明】
１　　　　　　　アンテナ
２　　　　　　　受信部
３　　　　　　　ＣＰＵ
４　　　　　　　表示部
５　　　　　　　入力部
【図１】
2004069389.tif 000003